(57)【要約】【課題】  靴などのように同一デザインで多数のサイズを揃えておく必要がある商品の陳列販売に適する商品陳列構造と、この陳列構造を構成する商品陳列棚と、この陳列棚を構成する仕切部材と、前記商品陳列構造を配置し、セルフサービスにも対応できる店舗とを提供する。【解決手段】  天板２と仕切板３とからなる仕切部材１、１´であって、天板２の左右いずれかの一端に仕切板３が直角に接合され、棚枠５に移動着脱自在に取り付けるための係止具が天板２の後部に設けてある仕切部材１、１´と、この仕切部材１、１´を棚枠５に係止具により移動着脱自在に取り付け、棚枠５の片面ないしは両面に該部材を複数個取り付けたことを特徴とする商品陳列棚と、この商品陳列棚に陳列商品とストック商品とを配置した商品陳列構造と、この商品陳列構造を配置した店舗とが提供される。【選択図】  図３
2009142521.tif 000002
【特許請求の範囲】
【請求項１】
棚枠に移動着脱自在に取り付けられ商品陳列棚を構成する仕切部材であって、天板と仕切板とからなり、天板の左右いずれかの一端に仕切板が直角に接合され、棚枠に移動着脱自在に取り付けるための係止具が天板の後部に設けてあることを特徴とする仕切部材。
【請求項２】
請求項１に記載の仕切部材において、係止具が鉤状金具であることを特徴とする仕切部材。
【請求項３】
請求項１もしくは請求項２に記載の仕切部材において、仕切板にパイプを貫通させるための複数の貫通孔が設けてあることを特徴とする仕切部材。
【請求項４】
請求項１〜３のいずれかに記載の仕切部材を、棚枠に係止具により移動着脱自在に取り付け、棚枠の片面ないしは両面に仕切部材を複数個取り付けたことを特徴とする商品陳列棚。
【請求項５】
請求項３に記載の仕切部材を、棚枠に係止具により移動着脱自在に取り付け、棚枠の片面ないしは両面に仕切部材を複数個取り付け、仕切板に設けた貫通孔に複数のパイプを貫通させ、天板の下方にパイプ棚を設けたことを特徴とする商品陳列棚。
【請求項６】
請求項４もしくは請求項５に記載の商品陳列棚において、棚枠に背板を設け、仕切部材は該背板の上端部に、係止具により移動着脱自在に取り付けられていることを特徴とする商品陳列棚。
【請求項７】
請求項６に記載の商品陳列棚において、背板の上端部に移動用レールを設け、該レールに仕切部材の係止具をはめ込むことにより、仕切部材を移動着脱自在に取り付けたことを特徴とする商品陳列棚。
【請求項８】
請求項４〜７のいずれかに記載の商品陳列棚において、棚枠は上部と下部とで構成され、棚枠の上部は下部に収納可能であり、必要に応じて上方に引き出し可能となっていることを特徴とする商品陳列棚。
【請求項９】
請求項４〜８のいずれかに記載の商品陳列棚において、仕切部材は棚枠の下部に取り付けられ、棚枠の上部には商品陳列具が取り付けられていることを特徴とする商品陳列棚。
【請求項１０】
請求項４〜９のいずれかに記載の商品陳列棚における仕切部材の天板上に商品が陳列され、該天板の下方には、陳列された商品と同一デザインのサイズの異なる商品が収納箱に収められ、かつ仕切板により同一デザインごとに区分けされ、取り出し可能に収納されていることを特徴とする商品陳列構造。
【請求項１１】
請求項９に記載の商品陳列棚における仕切部材の天板上及び／または商品陳列具に商品が陳列され、該天板の下方には、陳列された商品と同一デザインでサイズの異なる商品が収納箱に収められ、かつ仕切板により同一デザインごとに区分けされ、取り出し可能に収納されていることを特徴とする商品陳列構造。
【請求項１２】
請求項１０もしくは請求項１１に記載の商品陳列構造が配置してあることを特徴とする店舗。
【請求項１３】
請求項１０もしくは請求項１１に記載の商品陳列構造を店舗の中央に配置し、セルフセレクション区画とし、該区画の周辺にカテゴリー別の商品陳列区画およびレジスペースを配置したことを特徴とする店舗。
【発明の詳細な説明】
【技術分野】
【０００１】
本発明は商品陳列棚及び店舗に関し、特に靴などの同一デザインで多数のサイズを揃えておく必要のある商品の陳列棚及び店舗に関する。
【背景技術】
【０００２】
靴などの履物の販売では同一デザインで多数のサイズを揃えておく必要がある。しかし、店舗での商品陳列スペースには限りがあり、同一デザインの商品について多数のサイズを揃えて陳列することは難しい。そのため、顧客が選択したデザインの商品について、顧客のサイズに合う商品を店員が別途の商品保管場所から捜し出してくる場合が多い。この場合、顧客を待たせたままになり、迅速なサービスといった面からは不十分である。また、顧客によっては気楽なセルフサービス、すなわち陳列された商品の中から顧客自身で選択し、そのままレジで清算するといったセルフセレクションスタイルを好む場合もある。また、このようなセルフセレクションスタイルとすれば、販売店にとっても少ない店員でより多くの顧客に対応することが可能となり、好ましいスタイルでもある。
【０００３】
これまでに、顧客が陳列してある商品を一覧でき、かつ下部に商品を保管できる収納箱を設けた商品陳列棚や、複数個の細長状陳列棚を並べて商品陳列面を形成し、陳列棚の下部に商品のストックボックスを設けた商品陳列構造も提案されている（特許文献１及び２を参照）。しかしながら、これらの商品陳列棚にある商品の収納箱やストックボックスでは収納できる商品の量も限られ、かつ商品の取り出しも顧客が気楽にできるものではなかった。
【０００４】
また、商品陳列部と商品のストア部とを備え、サイズの異なる同種商品をストック商品としてパッケージに収納し、パッケージを介して前方よりストック商品を出し入れ可能とした商品展示体やこの展示体を配置した店舗も提案されている(特許文献3を参照)。この商品展示体ではストック商品を納めるパッケージは、陳列棚に設けたレールを使った固定された引き出し状のものである。そのため、陳列された商品と同種のサイズの異なるストック商品を出し入れ可能に配置することはできるが、その数は限定、固定化される。店舗に陳列される商品は、売れ行きに対応して、準備するストック商品のサイズや数は日々変化させてゆく必要がある。このような対応には、この商品陳列棚では対応が難しい。そして、ストック商品が納められたパッケージを引き出して商品を取り出す形態では、顧客が気楽に商品を取り出すことのできるセルフセレクションスタイルにはマッチしていない。
【特許文献１】特開２００２−７８５８１号公報
【特許文献２】特開平６−３４３５３９号公報
【特許文献３】特開２００４−３２１７３６号公報
【発明の開示】
【発明が解決しようとする課題】
【０００５】
本願発明は、靴などのように同一デザインで多数のサイズを揃えておく必要がある商品の陳列販売に適する商品陳列構造と、この陳列構造を構成する商品陳列棚と、この陳列棚を構成する仕切部材と、この商品陳列構造を配置し、セルフサービスにも対応できる店舗とを提供する。
【課題を解決するための手段】
【０００６】
本発明の仕切部材は、棚枠に移動着脱自在に取り付けられ商品陳列棚を構成する仕切部材であって、天板と仕切板とからなり、天板の左右いずれかの一端に仕切板が直角に接合され、棚板に移動着脱自在に取り付けるための係止具が天板の後部に設けてあることを特徴とする仕切部材である。この仕切部材に設けてある係止具として好ましい態様は鉤状金具である。さらに、仕切部材の仕切板にはパイプを貫通させるための複数の貫通孔が設けてあることを特徴とする仕切部材である。
【０００７】
本発明の商品陳列棚は、上記の仕切部材を、棚枠に係止具により移動着脱自在に取り付け、棚枠の片面ないしは両面に該部材を複数個取り付けたことを特徴とする商品陳列棚である。そして、貫通孔を設けた仕切部材を取り付けた場合には、この貫通孔に複数のパイプを貫通させ、天板の下方にパイプ棚を設けたことを特徴とする。また、好ましい態様としては、この棚枠には背板が設けられており、仕切部材はこの棚枠を構成する背板の上端部に、係止具により移動着脱自在に取り付けられている商品陳列棚であり、より好ましい態様は、この背板の上端部に移動用レールを設け、このレールに仕切部材の係止具をはめ込むことにより、仕切部材を移動着脱自在に取り付けた商品陳列棚である。また、棚枠は上部と下部とで構成され、棚枠の上部は下部に収納可能であり、必要に応じて上方に引き出し可能となっている態様も含まれる。そして、仕切部材が棚枠の下部に取り付けられ、棚枠の上部には商品陳列具が取り付けられている商品陳列棚も好ましい態様である。
【０００８】
本発明の商品陳列構造は、上記の商品陳列棚における仕切部材の天板上に商品が陳列され、該天板の下方には、陳列された商品と同一デザインのサイズの異なる商品が収納箱に収められ、かつ仕切板により同一デザインごとに区分けされ、取り出し可能に収納されていることを特徴とする商品陳列構造である。また、棚枠の上部に商品陳列具が取り付けられている商品陳列棚では、仕切部材の天板上及び／または商品陳列具に商品が陳列され、該天板の下方には、陳列された商品と同一デザインでサイズの異なる商品が収納箱に収められ、かつ仕切板により同一デザインごとに区分けされ、取り出し可能に収納されている商品陳列構造である。
【０００９】
本発明の店舗は、上記の商品陳列構造が配置してあることを特徴とする店舗であり、さらには、これらの商品陳列構造を店舗の中央に配置し、セルフセレクション区画とし、該区画の周辺にカテゴリー別の商品陳列区画およびレジスペースを配置したことを特徴とする店舗である。ここで、セルフセレクション区画とは陳列された商品の中から顧客自身で選択し、そのまま購入代金をレジスペースで清算するセルフサービスによる販売形態の区画のことである。
【発明の効果】
【００１０】
本発明の仕切部材を取り付けた商品陳列棚では、複数取り付けられた仕切部材の天板上に陳列されている各種商品を顧客が容易に一覧でき、かつ陳列された商品のサイズの異なる商品を仕切り部材の仕切板により区分けして、天板の下方に収納できる。そのため、この商品陳列棚を利用した商品陳列構造では、顧客が気に入る商品を選択し、さらに適合するサイズの商品を収納箱に入ったまま容易に取出しすることができ、かつそのままレジにて清算することができる。また、仕切部材は棚枠に移動着脱自在に取り付けられており、天板の下方の収納スペースの大きさを自在に調整でき、商品の人気、売れ行きに応じて収納する商品のサイズの種類や量を調整することができる。その上、本発明の商品陳列棚の棚枠の上部は下部に収納可能とすることができ、必要に応じて上方に引き出し、陳列棚の装飾や商品の陳列にバラエティを持たせることもできる。
【００１１】
したがって、本発明の商品陳列棚を使用することで、靴などの商品の販売促進に大いに役立つ商品陳列構造を得ることができ、この商品陳列構造を配置した本発明の店舗はセルフサービスにも適しており、幅広い顧客の集客にも役立つと共に、より少ない店員で店舗が運営でき、販売効率化にも役立つものである。
【発明を実施するための最良の形態】
【００１２】
以下、本発明に係る仕切部材、商品陳列棚、商品陳列構造および店舗を図面に示す実施例に基づき詳細に説明する。
【００１３】
図１は仕切部材１の斜め後方からの斜視図であり、図２は後方からの正面図と側面図を示す。天板２の前方から見たときの右端部に仕切板３が直角に接合されており、天板２の後部には係止具４が取り付けられている。図３に示すように、天板２の前方から見たときの右端部に仕切板３を接合した仕切部材１と天板２の前方から見たときの左端部に仕切板３を接合した仕切部材１´とは係止具４（図３には図示されていない）により、点線に沿って棚枠５に移動着脱自在に取り付けられる。
【００１４】
図３に示す棚枠５はステージ（底板）１０に立てられた下部支柱９および上部支柱８からなる縦支柱枠を上部連結枠１１、中間連結枠１２、下部連結枠１３にて連結することで構成され、さらに、棚枠５の下部には背板６が取り付けられ、背板６の上端部にはレール７が設けられており、このレール７に係止具４をはめ込むことで、背板６の両面に仕切部材１および１´が移動着脱自在に取り付けられる。この棚枠５では、上部支柱８は下部支柱９の内部に収納可能となっており、中間連結枠１２、商品陳列具１４、取り付けバー１５を取り外せば、棚枠５の上部は下部に収納でき、商品棚の飾り付けや商品の陳列など必要に応じて上方に引き出すことが可能となっている。図４は棚枠５の上部支柱枠８、上部連結枠１１が上方に引き出され、商品陳列具１４が棚枠５の上部に取り付けバー１５を介して取り付けられており、仕切部材が棚枠５の両面に取り付けられた商品陳列棚の側面図であり、顧客１６が陳列商品を眺めている様子を示している。
【００１５】
図５には背板６の上端部に設けられたレール７に、仕切部材１及び１´の天板２に取り付けられた鉤状金具の係止具４をはめ込んだ状態を示す。この図５に示すように係止具４はレール７に着脱自在にはめ込まれており、また、レール７は背板６の上端部に水平な溝状に埋め込まれており、鉤状金具の係止具４を介して取り付けられている仕切部材１および１´は着脱自在であると共に、水平方向に自在に移動が可能である。図６は仕切部材が棚枠５の片面に取り付けられた商品陳列棚の上面図を示す。
【００１６】
図３、４に示す商品陳列棚は棚枠５の下部に仕切部材１および１´が取り付けられ、棚枠５の上部に設けられた取り付けバー１５に商品陳列具１４が移動着脱自在に取り付けられている。尚、図３では２個の商品陳列具１４が代表例として示してあるが、この商品陳列具１４は仕切部材の天板２とともに、商品の陳列に使われ、陳列商品の数に応じて適宜増減されて、取り付けられる。図３、４ではこの商品陳列具１４として椅子形のものが示されているが、靴などの商品が展示できるものであれば、形状は限定されない。取り付けバー１５への取り付けは、陳列具１４に設けた鉤状金具により行われているが、移動着脱自在に取り付けられれば特に限定はされない。
【００１７】
図３、６に示した商品陳列棚では、仕切部材は棚枠５に隙間なく取り付け配置した状態を示しているが、仕切部材は移動着脱自在となっており、商品の陳列状況に応じて、取り付ける仕切部材の数を増減し、また取り付け位置も自在に移動することができる。さらには、図７に示すように、仕切部材１と１´とを組み合わせて、陳列棚の両端を仕切板３とすることも有効である。このような仕切部材の組み合わせは陳列棚の端部でなくとも、サイズ違いの商品の数が多く、天板２の下に収納する商品の数が多い場合にも応用できる。
【００１８】
また、図８に示すように、天板２の下方に収納する商品を整理するため、仕切板３に複数の貫通孔１７を設け、この穴にパイプ１８を水平に貫通させることにより、パイプ棚として天板２の下の収納スペースを２段にわけることもできる。この場合、パイプ棚とするためにパイプは少なくとも２本必要であり、貫通孔は各仕切板３の水平方向に少なくとも２個設けておく必要がある。設ける位置は特に限定されないが、おおよそ仕切板の中央に設けておくのが、収納商品の整理には好ましい。さらに、縦方向にも適宜設けておくことにより、棚の位置が調整できるので好ましい。図８には仕切板３のほぼ中央部に貫通孔１７を水平方向に３個と縦に３個設けた例を示した。このように、天板２の下方に収納する商品を２段に分けることで、商品の整理や取り出しを容易にすることができる。
【００１９】
図９には、仕切部材の天板２の上に商品の靴１９を展示し、展示してある靴１９のサイズ違いの靴を収納箱２０に収納して、天板２の下方に仕切板３により区分けして収納した商品展示構造の一部が示されている。収納箱２０にはサイズや商品品番が表示され、そのほかデザインが図示されていることが好ましい。通常、天板２の下方に収納される靴は、天板２の上に展示された一つのデザインに付き７〜８足程度が標準であるが、人気、売れ行きなどを勘案して増減される。この場合、図９に示すように、仕切部材を適宜移動させることで、天板の下方の収納スペースを調節し、収納する数を調整できる。図９では収納箱２０を縦一列、一列半、二列に積み上げた例を示している。
【００２０】
さらに、図８に示したようなパイプ棚を設け２段とした商品陳列棚を用いることで、下になったサイズの靴が収められた収納箱２０を取り出し易くすることもできる。通常本発明の商品陳列構造は、以上述べてきた商品陳列棚を多数組み合わせて、靴などの商品を陳列、収納し構成される。そして、このような商品陳列構造を、店舗に配置し、販売店舗を構成する。
【００２１】
本発明の仕切部材１、１´や棚枠５の大きさは特に限定されないが、商品を展示陳列したときに、顧客との位置関係が図４に示すようになるのが好ましく、仕切部材の高さすなわち仕切板３の長さは９０ｃｍ〜１００ｃｍ、仕切部材の奥行きすなわち仕切板３の幅は３０ｃｍ〜４０ｃｍ、仕切部材の幅すなわち天板２の長さは２０ｃｍ〜３０ｃｍのものが好ましい。仕切部材１、１´が取り付けられる棚枠５は仕切部材が６〜７個程度取り付け可能のものであり、幅１３０ｃｍ〜１８０ｃｍ、高さ１７０ｃｍ〜２００ｃｍのものが好ましい。
【００２２】
仕切部材を棚枠に移動着脱自在に取り付けるには、背板に設けたレールに係止具をはめ込む以外にも、背板の上端部に多数の横長孔を設け、この孔に係止具をはめ込むのでもよく、背板以外にも棚枠の中間連結枠にレールや横長穴を設けて、係止具をはめ込むことでも行うことができる。
【００２３】
仕切部材や棚枠の材質は特に限定がなく、図１や図２に示す形状が得られるものであればよい。例えば、天板や仕切板の四周をメラミン焼付け塗装を施した金属枠で構成し、パネル部分をポリエステル化粧板やメラミン化粧板で構成することができる。この場合、天板上には商品が置かれて陳列されるため、より傷つき難いメラミン化粧板が好ましい。係止具も天板の金属枠に取り付け、同様にメラミン焼付け塗装を施した金属で作ることができる。棚枠の支柱や連結枠も同様に、メラミン焼付け塗装を施した金属角パイプで構成することができる。その他の材質として、木質系の材料を使っても、同様な形状に加工して作成することも可能である。
【００２４】
図１０、１１には、本発明の商品陳列構造を配置した店舗を示す。図１０は店舗の天井部分を省いた斜視図であり、図１１は店舗の平面図である。この店舗では本発明の商品陳列構造２１を中央部に配置し、セルフセレクション区画Ａとしたものである。セルフセレクション区画Ａの周辺には、店舗の出入り口２２の間にレジスペースＢが設置してある。本発明の商品陳列構造２１は、顧客自身で気に入った商品の選択や、自身に適合するサイズの商品の取出しが容易にできるため、セルフセレクション区画Ａを構成するには最適の商品陳列構造である。この区画Ａで収納箱に納められた商品を取り出した顧客は、そのままレジスペースＢにて清算して、出入り口に向かうことができる。
【００２５】
セルフセレクション区画Ａの周辺にはレジスペースＢ以外にも、各種の区画Ｃ〜Ｈが配置される。例えば、顧客が選んだ靴を試着するための場所はセルフセレクション区画Ａ内にも置くことはできるが、椅子やフィッティング用の鏡などを置いた試着コーナーとして別個に配置し、顧客の便宜を図ることができる。その他、婦人物、紳士物、子供物、カジュアル、ドレッシング、スポーツなどの用途別やメーカーなどのブランド別にした区画として設置し、必要により専門の店員を配置し、総合店舗としても設計できる。このような店舗では、中央部に設置したセルフコレクション区画Ａを活用し、セルフサービスショップとしての特徴が発揮できるため、少ない店員で多くの顧客に対応することが可能であり、効率のよい販売店舗となる。
【産業上の利用可能性】
【００２６】
本発明の商品陳列棚などは靴の販売店舗に有用なものであるが、さらには靴以外にも同一デザインで多数のサイズを揃えておく必要がある商品の陳列販売にも応用することができる。
【図面の簡単な説明】
【００２７】
【図１】仕切部材の斜視図である。
【図２】仕切部材の後方からの正面図と側面図である。
【図３】仕切部材を棚枠に取り付けた商品陳列棚の説明図である。
【図４】商品陳列棚全体の側面図である。
【図５】レールに係止具がはめ込まれた部分の拡大断面図である。
【図６】商品陳列棚の上面図である。
【図７】仕切部材を組み合わせて取り付ける説明図である。
【図８】パイプ棚を設けた商品陳列棚の説明斜視図である。
【図９】商品陳列構造の説明斜視図である。
【図１０】商品陳列構造を配置した店舗の斜視図である。
【図１１】商品陳列構造を配置した店舗の平面図である。
【符号の説明】
【００２８】
１，１´    仕切部材
２    天板
３    仕切板
４    係止具
５    棚枠
６    背板
７    レール
８    上部支柱
９    下部支柱
１０  ステージ（底板）
１１  上部連結枠
１２  中間連結枠
１３  下部連結枠
１４  商品陳列具
１５  取り付けバー
１６  顧客
１７  貫通孔
１８  パイプ
１９  靴
２０  収納箱
２１  商品陳列構造
２２  出入り口
Ａ    セルフセレクション区画
Ｂ    レジスペース
Ｃ〜Ｈ  その他の区画
【図１】
2009142521.tif 000003
【図２】
2009142521.tif 000004
【図３】
2009142521.tif 000005
【図４】
2009142521.tif 000006
【図５】
2009142521.tif 000007
【図６】
2009142521.tif 000008
【図７】
2009142521.tif 000009
【図８】
2009142521.tif 000010
【図９】
2009142521.tif 000011
【図１０】
2009142521.tif 000012
【図１１】
2009142521.tif 000013